(57)【要約】【課題】メッセージインフォメーションの最終文字を入力する場合の特別のキー操作を必要とせず、しかも最終文字を認識する特別なコードを不要となり、空白スペースのスクロールを無くすことができるメッセージインフォメーションの表示方法を提供する。【構成】表示部１１に任意の一行の文字列１１ａを１文字づつスクロールさせることにより表示を行うメッセージインフォメーションの表示方法において、文字列１１ａをスクロールで表示させる場合は、入力された文字列１１ａの認識する段階において、メッセージインフォメーションの最大入力文字数の最終文字位置より繰り返し検索を行うことにより、文字列１１ａの最終文字の位置を先頭側よりＮ（但しＮは自然数）番目であることを認識して記憶し、文字列１１ａの表示する段階において、スクロール回数をＮ回とする構成とした。【選択図】          図１
2004220199.tif 000002
【特許請求の範囲】
【請求項１】
表示部に任意の一行の文字列を１文字づつスクロールさせることにより表示を行うメッセージインフォメーションの表示方法において、
前記文字列をスクロールで表示させる場合は、入力された文字列の認識する段階において、前記メッセージインフォメーションの最大入力文字数の最終文字位置より繰り返し検索を行うことにより、文字列の最終文字の位置を先頭側よりＮ（但しＮは自然数）番目であることを認識して記憶し、前記文字列の表示する段階において、スクロール回数をＮ回としたことを特徴とするメッセージインフォメーションの表示方法。
【請求項２】
前記メッセージインフォメーションの最大入力文字数は３０字であることを特徴とする請求項１に記載のメッセージインフォメーションの表示方法。
【発明の詳細な説明】
【０００１】
【産業上の利用分野】
本発明は、カーオーディオ等においてユーザーが任意の文字を入力して表示できるメッセージインフォメーションの表示方法に関する。
【０００２】
【従来の技術】
従来、カーオーディオにおいては、機能の多機能化が進み、その表示内容も演奏するカセットテープやＣＤのタイトルや内容に限らず、様々な内容を表示できるようになってきた。その内容の一つにメッセージインフォメーションの表示がある。このメッセージインフォメーションの表示は、ユーザーが任意の好みの文字を入力したり、コマーシャルの内容を表示できるもので、限られた文字数の内容で表示部がスクロールするものである。
【０００３】
このメッセージインフォメーションの表示例を図３に示す。この表示は、カーオーディオ本体１の表示パネル１０にスクロール表示部１１と固定表示部１２が設けられており、スクロール表示部１１の文字列１１ａが図中左方向へスクロールするものである。この文字列１１ａは、ほぼ１文字１秒の速度でスクロールされ、繰り返しスクロールされるものである。そしてスクロール表示部１１の中に文字列１１ａは最大３０文字が表示できるように構成されている。
【０００４】
【発明が解決しようとする課題】
しかしながら、上述した従来のメッセージインフォメーションの表示方法においては、例えば図４に示すように、３０文字のスペース中５文字しか表示されていない場合は、残り２５文字分は空白のスペースとなっている。そのため、空白のスペースも１文字分が１秒の速度でスクロールされるので、空白のスペースがスクロールされている間は何も表示されず非常な無駄が発生していた。しかも、空白のスペースは３０文字より表示文字列１１ａの数を減じた長さとなるため、表示文字列１１ａの数が少ないほど空白のスペースが多くなり、空白のスペースがスクロールされる時間も長くなるので、ユーザーもいらいらするという問題が生じていた。
【０００５】
そこで、空白のスペースがスクロールされる時間を一定にするため、メッセージインフォメーションの文字を入力する場合、最後の文字を入力した時にエンドオブテキスト（ＥＯＴ）のような特別なコードを入力したり、特別の入力キー等を設ける必要があった。
また、特許第３２２３０９５号公報に示すように、自動的に空きスペースを詰める試みもなされていた。
【０００６】
しかしながら、特別なコードを入力する場合には、入力操作が難しくなり、ユーザーが使いづらいという問題が発生していた。
また、特別の入力キーを設ける場合は、設計する場合に特別の負担がかかり機器のコストが高くなるという問題があった。
さらに、特許第３２２３０９５号公報に示すような技術手段は、簡単には適用できないという問題があった。
【０００７】
本発明は上述した従来の問題点に鑑みなされたもので、その目的とするところは、メッセージインフォメーションの最終文字を入力する場合の特別のキー操作を必要とせず、しかも最終文字を認識する特別なコードを不要となり、空白スペースのスクロールを無くすことができるメッセージインフォメーションの表示方法を提供するものである。
【０００８】
【課題を解決するための手段】
本発明は上述した問題点を解決するために鑑みなされたもので、表示部に任意の一行の文字列を１文字づつスクロールさせることにより表示を行うメッセージインフォメーションの表示方法において、前記文字列をスクロールで表示させる場合は、入力された文字列を認識する段階において、前記メッセージインフォメーションの最大入力文字数の最終文字位置より繰り返し検索を行うことにより、文字列の最終文字の位置を先頭側よりＮ（但しＮは自然数）番目であることを認識して記憶し、前記文字列の表示する段階において、スクロール回数をＮ回としたことを特徴とするものである。
【０００９】
また、本発明のメッセージインフォメーションの表示方法における最大入力文字数は３０字であることを特徴としている。
【００１０】
本発明は上記構成により、メッセージインフォメーションの文字列が３０字以下であっても、文字列の最終文字の位置を認識して記憶することにより、文字列の文字数だけのスクロールを行い、必然的に発生する空白のスペースの無駄なスクロールを無くすことが可能となる。
【００１１】
【発明の実施の形態】
本発明に係るメッセージインフォメーションの表示方法の実施の形態を図に基づいて説明する。図１は本発明のメッセージインフォメーションの表示方法を示すフローチャートで文字列の最終文字判定の段階の処理を示すものであり、図２は本発明のメッセージインフォメーションの表示方法を示すフローチャートでスクロール時の処理を示すものである。
【００１２】
本発明に係るメッセージインフォメーションの表示方法は、図３に示すように、カーオーディオ本体１の表示部１０に任意の一行の文字列１１ａを１文字づつスクロールさせることにより表示を行うメッセージインフォメーションの表示方法である。このカーオーディオ本体１は、内部に図示しないＣＰＵやメモリを有する公知のマイクロコンピュータを備えており、このマイクロコンピュータで表示部１０の表示内容を制御するものである。また、カーオーディオ本体１の前面には、ジョグシャトル２やサーチボタン３、プレイ／ポーズボタン４、タイトルボタン５等の各種の操作キーが備えられており、目的に応じて様々な操作ができるようになっている。
【００１３】
このカーオーディオ本体１にメッセージインフォメーションを入力する場合は、まずタイトルボタン５を押して表示パネルをメッセージインフォメーションの入力モードにする。次いで、サーチボタン３の左または右側を押してスクロール表示部１１の先頭の文字Ｎの入力位置を決める。ジョグシャトル２を時計方向または反時計方向に回して最初の入力文字Ｎを選ぶ。次いで、サーチボタン３の右側を押して２番目の文字の入力位置に移動し、ジョグシャトル２で文字Ａを入力する。同様にして順次Ｃ，Ｋ，５の文字を入力する。最後にプレイ／ポーズボタン４を２秒以上押し続けると入力した文字（ＮＡＣＫ５）が内部のメモリに記憶される。
【００１４】
このように入力されたメッセージインフォメーションの文字列１１ａをスクロールする場合の表示方法を図１および図２に基づいて説明する。
図１は、入力されたメッセージインフォメーションの文字列１１ａの最終文字を判定する段階の処理を示すものである。
先ず、ステップＳ１にて、文字数Ｎとして、このメッセージインフォメーションの最大入力文字数である３０が入力される。
【００１５】
次いで、ステップＳ２にて、マイクロコンピュータで最後尾の３０番目の位置で、文字が存在しているか、スペースであるかの検索が行われる。そして、文字が存在せずスペースである場合には、ステップＳ３に進み、文字が存在している場合にはステップＳ４に進む。
【００１６】
ステップＳ３にては、文字数Ｎの値を一つ減じる処理（Ｎ＝２９）が行われ、ステップＳ２に戻るものである。通常のメッセージインフォメーションでは、最大入力文字数である３０文字がきっかり入ることが少ないので、ステップＳ２とステップＳ３の処理が繰り返し行われる。このステップＳ２とステップＳ３の処理が繰り返し行われると、Ｎ＝５まで減じた時にメッセージインフォメーションの文字列１１ａであるＮＡＣＫ５の最終文字位置の５の存在を認識するので、ステップＳ４に進み、最終文字位置としてＮ＝５を記憶するものである。
【００１７】
また、図２に示すのは、メッセージインフォメーションの文字列１１ａの最終文字を判定した後に実際にスクロールを行う段階の処理を示すものである。
先ず、ステップＳ１１にて、文字列１１ａの先頭側よりＮ＝１（回）からスクロールを開始する。
【００１８】
次いで、ステップＳ１２にて、スクロールの回数をチェックを行い、前段階で記憶したＮ＝５（回）のスクロール回数に達したかのチェックを行う。ここで、前段階で記憶したＮ＝５（回）のスクロール回数に達していない場合には、ステップＳ１２に進み、Ｎ＝５（回）のスクロール回数に達した場合には処理が終了する。
【００１９】
ステップＳ１３にては、スクロール回数Ｎの値を１つプラス（Ｎ＋１）の処理を行い、ステップＳ１１に戻る。このステップＳ１１、ステップＳ１２、ステップＳ１３を繰り返し行うことにより、前段階で記憶したＮ＝５（回）のスクロール回数に達するので、処理を終了するものである。
【００２０】
このような処理を行うことにより、メッセージインフォメーションの文字列１１ａの文字数が少ない場合でも、文字数に合わせたスクロール回数のみで処理を終了することができるので、従来のような空白部分をスクロールするという無駄な処理がなくなり、スクロール時間も大幅に短縮できるものである。
【００２１】
【発明の効果】
以上のように、本発明のメッセージインフォメーションの表示方法は、文字列をスクロールで表示させる場合は、入力された文字列を認識する段階において、前記メッセージインフォメーションの最大入力文字数の最終文字位置より繰り返し検索を行うことにより、文字列の最終文字の位置を先頭側よりＮ（但しＮは自然数）番目であることを認識して記憶し、前記文字列の表示する段階において、スクロール回数をＮ回とし、最大入力文字数を３０字としたことにより、メッセージインフォメーションの入力された文字列が最大入力文字数以下であっても、文字列の最終文字の位置を認識して記憶することにより、文字列の文字数だけのスクロールを行い、必然的に発生する空白のスペースの無駄なスクロールを無くすことができ、効率的なスクロール表示ができるとともにユーザーのいらいら感を無くすという優れた効果を奏するものである。
【００２２】
また、メッセージインフォメーションの最終文字を入力する場合の特別のキー操作を必要とせず、しかも最終文字を認識する特別なコードを不要となり、カーアーディオ本体を設計する場合に効率化とコスト削減をはかることができるという効果を奏するものである。
【図面の簡単な説明】
【図１】本発明のメッセージインフォメーションの表示方法を示すフローチャートで文字列の最終文字判定の段階の処理を示すものである。
【図２】本発明のメッセージインフォメーションの表示方法を示すフローチャートでスクロール時の処理を示すものである。
【図３】メッセージインフォメーションの表示を行うカーオーディオ本体を示す正面図である。
【図４】従来のメッセージインフォメーションの表示方法を示す説明図である。
【符号の説明】
１    カーオーディオ本体
２    ジョグシャトル
３    サーチボタン
４    プレイ／ポーズボタン
５    タイトルボタン
１０    表示パネル
１１    スクロール表示部
１１ａ  文字列
１２    固定表示部
【図１】
2004220199.tif 000003
【図２】
2004220199.tif 000004
【図３】
2004220199.tif 000005
【図４】
2004220199.tif 000006